(57)【要約】【課題】  測量用ＧＰＳアンテナを基準点鉛直上の高所位置に簡便かつ迅速に設置することができるＧＰＳアンテナ用昇降装置を提供する。【解決手段】  ＧＰＳアンテナ５と測量用三脚２の間に設けられ、ＧＰＳアンテナを測点Ｐの測定可能な高所位置に上昇移動させて設置するためのＧＰＳアンテナ用昇降装置は、圧縮空気の送入・排出により伸縮可能な多段シリンダー３と、多段シリンダー３の下側に設けられる供給口８と、圧縮空気を充填したタンク１２と、タンク１２と供給口８との連結を開閉する開閉弁９とを備え、使用時に開閉弁９を開放することで、タンク１２内の圧縮空気を供給口８から多段シリンダー３内に送入し伸ばしてＧＰＳアンテナ５を高所位置に上昇移動させ、撤去時にタンク１２と供給口８との連結を切り離すと共に開閉弁９を開放することで、多段シリンダー３内の圧縮空気を排出し縮ませてＧＰＳアンテナ５を下降移動させる。【選択図】図１
0003151100.tif 000002
【実用新案登録請求の範囲】
【請求項１】
先端側に設けられるＧＰＳ測量で使用するＧＰＳアンテナと地面側に設けられる測量用三脚の間に設けられ、前記ＧＰＳアンテナを測定基準点上の測定可能な高所位置に上昇移動させて設置するためのＧＰＳアンテナ用昇降装置において、
先端側のアンテナ設置部にＧＰＳアンテナが設けられ圧縮空気の送入・排出により伸縮可能な多段シリンダーと、
前記多段シリンダーの下側に設けられる供給口と、
圧縮空気を充填したタンクと、
前記タンクと前記供給口との連結を開閉する開閉弁とを備え、
使用時に前記開閉弁を開放することで、前記タンク内の圧縮空気を前記供給口から前記多段シリンダー内に送入し伸ばして前記ＧＰＳアンテナを高所位置に上昇移動させ、撤去時に前記タンクと前記供給口との連結を切り離すと共に前記開閉弁を開放することで、前記多段シリンダー内の圧縮空気を排出し縮ませて前記ＧＰＳアンテナを下降移動させることを特徴とするＧＰＳアンテナ用昇降装置。
【請求項２】
前記多段シリンダーの頂上部のアンテナ設置部と前記ＧＰＳアンテナの間に、均一の長さ且つ太さのポールを必要本数取り付け可能としたことを特徴とする請求項１記載のＧＰＳアンテナ用昇降装置。
【考案の詳細な説明】
【技術分野】
【０００１】  本考案は、ＧＰＳ測量で使用するＧＰＳアンテナを高所位置に設置するためのＧＰＳアンテナ用昇降装置に関するものである。
【背景技術】
【０００２】  ＧＰＳ測量は多くの人工衛星からの電波を同時に受信する必要があり、水平面から１５度以上の高さに障害物がない場所にＧＰＳアンテナを設置しなければならない。山間部で樹木が障害となる場所等で電波受信の邪魔にならない高所位置にＧＰＳアンテナを設置する場合は、直径４０ｍｍ、長さ１ｍ程度のポールを複数順次継ぎ足しながら手動で上方に繰り出す装置からなる昇降装置を用いて上昇させ設置している（例えば、特許文献１，２参照）。【０００３】  この手動による繰り出し装置を用いた場合、高さ１０ｍ程度の測定位置までＧＰＳアンテナを上昇させるためには約２０〜３０分必要としていた。樹木などの障害物の高さは測定地点により一定でなくポールを継ぎ足す本数が異なるため、手動による繰り出す装置の場合はＧＰＳアンテナの設置所要時間の変動が大きい。また、測量完了後ＧＰＳアンテナを撤去するためには、設置時と逆の手順でポールを順次取り外す作業を行うことになるため、設置時と同様の作業時間が必要であった。
【先行技術文献】
【特許文献】
【０００４】
【特許文献１】  特開平５−２９９９１８号公報
【特許文献２】  特開平９−１９９９１８号公報
【考案の概要】
【考案が解決しようとする課題】
【０００５】  このような一定の長さのポールを複数順次継ぎ足しながら手動で上方に繰り出す装置は、ＧＰＳアンテナを設置する労働力、設置時間、資材運搬の負担が大きく、測定地点における条件の違いによりその変動量も不確定であった。【０００６】  本考案は、このような問題を解決しようとするものであり、測量用ＧＰＳアンテナを基準点鉛直上の高所位置に簡便かつ迅速に設置することができるＧＰＳアンテナ用昇降装置を提供することを目的とする。
【課題を解決するための手段】
【０００７】  本考案は、先端側に設けられるＧＰＳ測量で使用するＧＰＳアンテナと地面側に設けられる測量用三脚の間に設けられ、前記ＧＰＳアンテナを測定基準点上の測定可能な高所位置に上昇移動させて設置するためのＧＰＳアンテナ用昇降装置において、先端側のアンテナ設置部にＧＰＳアンテナが設けられ圧縮空気の送入・排出により伸縮可能な多段シリンダーと、多段シリンダーの下側に設けられる供給口と、圧縮空気を充填したタンクと、タンクと供給口との連結を開閉する開閉弁とを備え、使用時に開閉弁を開放することで、タンク内の圧縮空気を供給口から多段シリンダー内に送入し伸ばしてＧＰＳアンテナを高所位置に上昇移動させ、撤去時にタンクと供給口との連結を切り離すと共に開閉弁を開放することで、多段シリンダー内の圧縮空気を排出し縮ませてＧＰＳアンテナを下降移動させることを特徴とする。【０００８】  本考案は、また多段シリンダーの頂上部のアンテナ設置部とＧＰＳアンテナの間に、均一の長さ且つ太さのポールを必要本数取り付け可能としたことを特徴とする。
【考案の効果】
【０００９】  上述の様に、本考案のＧＰＳアンテナ用昇降装置にあっては、圧縮空気の送入・排出により伸縮可能な多段シリンダーを利用することで、測量用ＧＰＳアンテナの上昇、下降を簡便かつ迅速に行うことができる。具体的には、高さ１０ｍ程度の測定位置までＧＰＳアンテナを上昇させる場合、従来の手動による繰り出し装置を用いた場合は約２０〜３０分掛かっていたものが、本考案の圧縮空気の送入・排出により伸縮可能な多段シリンダーを用いた場合は５〜１０秒で上昇させることが可能である。また撤去時の下降も上昇時とほぼ同様の時間で行うことができる。このようにＧＰＳアンテナの上昇、下降にかかる作業時間を大幅に低減することができる。また、圧縮空気の送入・排出により伸縮可能な多段シリンダーを利用することで、ＧＰＳアンテナの設置作業を大幅に省力化することができる。また、高所の天候は変わり易いことから、天候が安定している間に作業を行ってしまうことを可能とすることからも実用性が大きい。更にＧＰＳアンテナの保持固定までの作業時間の短縮により転倒による危険性が低減され安全性が高まる利点があり、実用性が極めて大きい。【００１０】  また、多段シリンダーだけで高さが不足する場合には、多段シリンダーの頂上部のアンテナ設置部とＧＰＳアンテナの間に、均一の長さ且つ太さのポールを必要本数取り付け自在とすることで、ＧＰＳアンテナの設置高さ位置を調整することができる。
【図面の簡単な説明】
【００１１】
【図１】本考案のＧＰＳアンテナ用昇降装置の全体構成図である。
【図２】他の実施例の全体構成図である。
【考案を実施するための形態】
【００１２】  先端側に設けられるＧＰＳ測量で使用するＧＰＳアンテナと地面側に設けられる測量用三脚の間に設けられ、ＧＰＳアンテナを測定基準点上の測定可能な高所位置に上昇移動させて設置するためのＧＰＳアンテナ用昇降装置として、先端側のアンテナ設置部にＧＰＳアンテナが設けられると共に圧縮空気の送入・排出により伸縮可能な多段シリンダーを用い、使用時に圧縮空気を充填したタンク内の圧縮空気を多段シリンダー内に送入し伸ばしてＧＰＳアンテナを測定基準点上の測定可能な高所位置に上昇移動させ、撤去時に多段シリンダー内の圧縮空気を排出し縮ませてＧＰＳアンテナを下降移動させるよう構成する。
【実施例１】
【００１３】  以下、図１を参照して実施例１を詳しく説明する。ＧＰＳアンテナ用昇降装置１は、先端側に設けられるＧＰＳ測量で使用するＧＰＳアンテナ５と地面側に設けられる測量用三脚２の間に設けられる。具体的には、先端側のアンテナ設置部にＧＰＳアンテナ５が設けられ圧縮空気の送入・排出により伸縮可能な多段シリンダー３と、多段シリンダー３の下側に設けられシリンダー内部と外部とを連通する供給口８と、圧縮空気を充填したタンク１２と、供給口８とタンク１２の間に接続される、開閉弁９、エアホース１１、タンク開閉弁１０と、多段シリンダー３を測量用三脚２に装着自在とするための支持金具６と、多段シリンダー３の先端部に設けられる、ＧＰＳアンテナ５及び位置微調整用かつ保持用のステーワイヤ１３を装着するための保持金具７とから構成される。【００１４】  多段シリンダー３は、鉄、アルミ、ステンレス等の素材にて形成されており、縮めた状態の長さは１ｍ程度、伸ばした状態の長さは５ｍ〜１２ｍの範囲になるよう構成される。なお、縮めた状態、伸ばした状態での長さ及び段数は適宜設計されるものである。また、多段シリンダー３はその下部に、汎用性のある測量用三脚２の固定ねじに適合する支持金具６が予め取り付けてあり、設置現場において測量用三脚２に装着される。【００１５】  次に、ＧＰＳアンテナ用昇降装置１を利用したＧＰＳアンテナ５の設置作業手順を説明する。先ず、下げ振り、水準器を利用し、測量用三脚２を測定基準点Ｐ上に設置する。このことにより昇降装置１およびＧＰＳアンテナ５を基準点鉛直上に設置できる。次に、一番短く縮まった状態の多段シリンダー３を予め取り付けてある支持金具６を介して、測量用三脚２の上部に装着する。次に、多段シリンダー３の先端部に予め取り付けてある保持金具７に対し、ＧＰＳアンテナ５及び３本のステーワイヤ１３を装着する。次に、多段シリンダー３の下側に設けられた供給口８の先に設けられた開閉弁９に対し、圧縮空気を充填したタンク１２と接続されたエアホース１１を連結する。次に、開閉弁９およびタンク開閉弁１０を開放することにより供給口８から、圧縮空気が多段シリンダー３内に送入され、この送入により多段シリンダー３が順次伸びるため、結果ＧＰＳアンテナ５を高所位置まで移動させる。移動が完了したら、開閉弁９およびタンク開閉弁１０を閉鎖する。最後に３本のステーワイヤ１３の張りを調整し水平位置の微調整を行い固定する。【００１６】  次に、撤去作業手順を説明する。先ず、エアホース１１を開閉弁９から切り離し、開閉弁９を開放することにより、多段シリンダー３内の圧縮空気が排出され、この排出により多段シリンダー３が順次縮むため、結果ＧＰＳアンテナ５が下降移動する。後は、設置作業手順と逆の作業で撤去を行う。【００１７】  本出願人が、最大延長時５．５ｍになる６段の多段シリンダー３を用い、汎用性のある測量用三脚２に固定し、容量１５リットルのタンク１２に充填した０．８ＭＰａの圧縮空気を使用することでＧＰＳアンテナ５を地上７ｍに設置する実験を行ったところ、ほぼ５秒間で上昇が完了でき、またエアホース１１を切り離し、開閉弁９を開放することで上昇時と同様ほぼ５秒間で下降を完了することがで��た。
【実施例２】
【００１８】  以下、図２を参照して実施例２を説明する。昇降装置本体の高さで所定の高さに不足している場合は、上昇前に多段シリンダー３の先端部に設けられた保持金具７の上部に、均一の長さ且つ太さのポール４Ａ，４Ｂを必要本数取り付け接合し、その上部に位置微調整用かつ保持用のステーワイヤ１３を装着するための保持金具７’を取り付け、さらにＧＰＳアンテナ５を取り付ける。この状態で、開閉弁９およびタンク開閉弁１０を開け多段シリンダー３を上昇させる。ポール１本の長さとしては、６０ｃｍ〜１００ｃｍのものが一般的に使用される。このことで多段シリンダー３の上昇で不足するＧＰＳアンテナの設置高さ位置を調整することができる。またこの場合、多段シリンダー３の上部とＧＰＳアンテナ５の下部に設けられる保持金具７，７’にそれぞれステーワイヤ１３を装着して保持することから、ＧＰＳアンテナの高さ位置が高所になったとしても、揺れが抑えられ安定性が高まり、結果、測定の精度が高まる。
【符号の説明】
【００１９】１    ＧＰＳアンテナ昇降装置
２    測量用三脚
３    多段シリンダー
４Ａ，４Ｂ  ポール
５    アンテナ
６    支持金具
７    保持金具（本体用）
７’  保持金具（ポール用）
８    供給口
９    開閉弁
１０    タンク開閉弁
１１    エアホース
１２    タンク
１３    ステーワイヤ
【図１】
0003151100.tif 000003
【図２】
0003151100.tif 000004